(57)【特許請求の範囲】
【請求項１】
携帯電話システム網に接続されるサーバ又はデータベースにアクセスして、該サーバ又はデータベースからのマルチメディア情報を受信する電話通信手段と、
外部情報通信網に接続されるサーバにアクセスして、該サーバからのマルチメディア情報を受信する外部通信処理手段と、
上記電話通信手段又は上記外部通信処理手段から受信したマルチメディア情報を加工又は変換するデータ処理手段と、
上記電話通信手段、上記外部通信処理手段又は上記データ処理手段からのマルチメディア情報が供給される人間−機械インターフェース手段と、
上記外部通信処理手段によって、上記外部情報通信網に接続されるサーバにアクセスして、該サーバからのマルチメディア情報を受信するときに、当該携帯型通信端末を使用するユーザの所在する場所を表す識別子を上記外部情報通信網に接続されるサーバに転送する識別子転送手段とを有し、
上記外部通信処理手段には、トランスファコントロールプロトコル又はハイパーテキストトランスファプロトコルが実装されてなることを特徴とする携帯型通信端末。
【請求項２】
請求項１に記載の携帯型通信端末において、
上記データ処理手段は、上記携帯型通信端末からの情報を所定のマルチメディア情報に変換する変換手段を有することを特徴とする携帯型通信端末。
【請求項３】
請求項１に記載の携帯型通信端末において、
上記携帯電話システム網は、簡易型携帯電話システム網であることを特徴とする携帯型通信端末。
【発明の詳細な説明】
技術分野
本発明は、無線通信網を利用して情報を提供する情報提供装置及びその情報を受信する携帯型通信端末に関する。
背景技術
図２０を参照して、従来の無線通信網を利用した情報提供装置及び携帯通信端末装置について説明する。
通信端末１２２は、通信端末１２２の送受信アンテナ１２２Ａ及び無線通信網１２０の送受信アンテナ１２０Ａを介して、無線通信網１２０に接続される。無線通信網１２０は、無線通信事業者によって管理された通信網であり、電話回線網、パケット網、ＩＳＤＮ（Integrated Services Digital Network）、専用線等の公衆通信回線網１２１に接続されている。
サーバ１２３は、公衆通信回線網１２１に接続されたコンピュータ通信会社のコンピュータである。このサーバ１２３は、通信端末１２２を用いたユーザからのアクセスに応じて通信処理及びデータ転送処理を行うサーバて、サービス情報が蓄積されたデータベース１２３ＤＢを備えている。
通信端末１２２は、ユーザが携帯して移動可能なように構成されており、携帯型コンピュータ１２２Ｃと通信処理可能な携帯電話機１２２Ｂを組み合わせたものである。通信端末１２２の携帯電話機１２２Ｂと無線通信網１２０との間では、データ転送用の特別な通信プロトコルを用いるが、サーバ１２３と通信端末１２２の携帯型コンピュータ１２２Ｃとの間では、特にデータの変換は行われない。又、通信端末１２２の携帯型コンピュータ１２２Ｃからサーバ１２３へのアクセスは、一般に“ターミナルソフト(Terminal Application Software)”又は“ビューワ(Viewer)”と呼ばれるコンピュータ通信専用のソフトウェアを用いて行われる。
無線通信網１２０を提供する通信事業者が、同時にサーバ１２３の管理者である場合には、サーバ１２３及びデータベース１２３ＤＢが無線通信網１２０に直接接続されている場合もある。この場合は、通信端末１２２は携帯電話機単体であり、通信事業者はサーバ１２３によって、ディジタル化された音声データを配信するボイスメールサービスや掛かってきた電話を予め登録しておいた他の電話番号に転送する着信転送サービス等のサービスを提供している。携帯型通信端末１２２を所有するユーザは無線通信網１２０を管理している通信事業者に登録することにより、これらのサービスの提供を受けることができる。
上述した従来の情報提供装置では、携帯型通信端末が携帯型コンピュータ及び携帯電話機を組み合わせたものであるため、携帯型通信端末の持ち運びに不便である。又、サーバと通信を行う場合は、携帯型コンピュータ及び携帯電話機の両方をそれぞれ操作する必要がある。更に、携帯型コンピュータには多数のキーが配設されているが、それらのキーは携帯型コンピュータを操作するために汎用的に用いられるように構成されており、通信操作におけるキー割り当ての表示がない。そのため、ユーザの操作性が悪くなってしまう。
又、上述の従来の情報提供装置では、携帯型通信端末が携帯型コンピュータ及び携帯電話機を組み合わせたものであるため、その携帯型コンピュータにコンピュータ通信専用のソフトウェアをインストールしなければ、サーバと通信を行い、更に、データベースから情報を得るということができない。
更に、上述の従来の情報提供装置では、携帯型通信端末が携帯電話機単体の場合は、外部の情報提供サーバとの間で通信処理を行い、更に、データベースから情報を得るため処理機能を有していないので、情報提供会社やインターネットの情報提供サーバにアクセスすることができない。
更に、上述の従来の情報提供装置では、携帯型通信端末が携帯電話機単体の場合には、外部からの画像情報をデコード機能や、画像情報を処理する機能を備えていないので、外部からの画像情報の取得及び表示を行うことができない。
かかる点を鑑み、本発明においては、無線通信網に接続可能な携帯型通信端末を有する情報提供装置において、携帯型通信端末が小型で可搬性に優れ、操作性が良好となり、携帯型通信端末によって、無線通信網又は外部情報通信網に接続されたサーバからマルチメディア情報の取得及びその取得されたマルチメディア情報の人間−機械インターフェース手段への出力が可能となり、且つ、携帯型通信端末にわざわざターミナルソフト、ビューワ等をインストールしなくても、携帯型通信端末が、外部情報通信網に接続されたサーバにアクセスして、そのサーバからのマルチメディア情報を取得することができると共に、その取得されたマルチメディア情報を、人間−機械インターフェース手段の出力能力に応じて加工又は変換した後、人間−機械インターフェース手段に出力させることのできる情報提供装置及び携帯型通信端末を提供することを目的としている．
発明の開示
本発明は、携帯電話システム網に接続されるサーバ又はデータベースにアクセスして、該サーバ又はデータベースからのマルチメディア情報を受信する電話通信手段と、外部情報通信網に接続されるサーバにアクセスして、該サーバからのマルチメディア情報を受信する外部通信処理手段と、上記電話通信手段又は上記外部通信処理手段から受信したマルチメディア情報を加工又は変換するデータ処理手段と、上記電話通信手段、上記外部通信処理手段又は上記データ処理手段からのマルチメディア情報が供給される人間−機械インターフェース手段と、上記外部通信処理手段によって、上記外部情報通信網に接続されるサーバにアクセスして、該サーバからのマルチメディア情報を受信するときに、当該携帯型通信端末を使用するユーザの所在する場所を表す識別子を上記外部情報通信網に接続されるサーバに転送する識別子転送手段とを有し、上記外部通信処理手段には、トランスファコントロールプロトコル又はハイパーテキストトランスファプロトコルが実装されてなることを特徴とする携帯型通信端末により、上記目的を達成する。
【図面の簡単な説明】
図１は、本発明の実施の形態の情報提供装置を示すブロック線図である。図２は、実施の形態の情報提供装置の携帯型通信端末の構成例を示すブロック線図である。図３は、実施の形態の情報提供装置の携帯型通信端末用サーバ（ＰＨＳサーバ）の構成例を示すブロック線図である。図４は、実施の形態の情報提供装置の携帯型通信端末の表示を示す略線図である。図５は、実施の形態の情報提供装置の携帯型通信端末の表示を示す略線図である。図６は、実施の形態の情報提供装置の携帯型通信端末の表示を示す略線図である。図７は、データ処理手段のデータ処理方法を示す略線図である。図８は、データ処理手段のデータ処理方法を示す略線図である。図９は、データ処理手段のデータ処理方法を示す略線図である。図１０は、データ処理手段のデータ処理方法を示す略線図である。図１１は、データ処理手段のデータ処理方法を示す略線図である。図１２は、携帯型通信端末及びＰＨＳサーバ間の処理を示すシーケンス図である。図１３は、携帯型通信端末及びインターネットのサーバ間の処理を示すシーケンス図である。図１４は、携帯型通信端末及びインターネットのサーバ間で用いるトランスポートプロトコルのヘッダを示すフォーマット図である。図１５は、携帯型通信端末及びＦＭ放送局間のリンク処理を示すシーケンス図である。図１６は、実施の形態の情報提供装置の携帯型通信端末の他の構成例を示すブロック線図である。図１７は、実施の形態の情報提供装置の携帯型通信端末用サーバ（ＰＨＳサーバ）の他の構成例を示すブロック線図である。図１８は、実施の形態の情報提供装置の携帯型通信端末の他の構成例を示すブロック線図である。図１９は、実施の形態の情報提供装置の携帯型通信端末用サーバ（ＰＨＳサーバ）の他の構成例を示すブロック線図である。図２０は、従来の情報提供装置の構成を示すブロック図である。
発明を実施するための最良の形態
以下に、図面を参照して、本発明の実施の形態を説明する。
先ず、図１を参照して、情報提供装置（システム）の全体的な構成を説明する。無線通信網２は移動体通信等で使用される無線を用いた通信網であり、本実施例では、無線通信網の一例として簡易型携帯電話システム網（PHS Network：Personal Handy Phone System Network）を用いている。公衆通信回線網３は、電話回線網、パケット網、ＩＳＤＮ、専用線等からなり、交換機６を介して無線通信網に接続されている。外部情報通信網であるインターネット４は、公衆回線網に接続された主にコンピュータ間通信に用いられるの回線であり、複数のサーバ及びクライアント端末が接続されている。基地局５はＰＨＳ網２内に配置されたの多数の基地局の内の１つであり、携帯型通信端末１と接続するための送受信アンテナ５Ａを有している。交換機６はＰＨＳ網２内に配置され多数の交換機の１つであり、ＰＨＳ網２と公衆通信回線網３間を接続し、基地局５を含む複数の基地局を管理する。
尚、ＰＨＳとは日本において実施されている移動体通信システムの一つで、数百メートル毎に無線基地局が設けられ、電話端末装置は定期的に複数の基地局の中から最寄りの基地局と位置情報の交換を行うと共に、この基地局を介して他の電話端末装置と通信を行う。又、ＰＨＳはＴＤＤ（Time Division Duplex）方式を用いることにより、音声信号を時間的に区切って圧縮し、送受信を１つのキャリア周波数で行う。更に、ＴＤＭＡ（Time Division Multiple Access）方式を用いることにより、１つのキャリア周波数に４つのチャンネルを時間的に分割して多重通信を行う。ＰＨＳの通信に用いられる周波数帯は１．９ＧＨｚ帯である。又、１チャンネルあたり３２kbits/sec伝送速度でディジタル・データ通信が可能であり、複数チャンネルを１端末で使用することにより、最大１２８kbits/sec〔（３２kbits/sec）×４（チャンネル）〕でデータを伝送することも可能である。
携帯型通信端末１は上述のＰＨＳに加入しているユーザが操作する端末装置で、無線電波によって最寄りのＰＨＳ基地局５に接続するための電話用送受信アンテナ１Ａ及び放送局１１からの放送電波を受信するための放送用受信アンテナ１Ｂを備えている。
携帯型通信端末用サーバ７（以下、ＰＨＳサーバと称する）はＰＨＳ網２の基地局５に接続され、その基地局５が設置されている地域に関連するマルチメディア情報を蓄積しているデータベース７ＤＢを備えている。尚、ＰＨＳサーバ７及びデーターベース７ＤＢは交換機６に接続することも可能であり、この場合にはデータベース７ＤＢには交換機６が管理している複数の基地局が設置されている地域に関するマルチメディア情報を蓄積することになる。
サーバ９は公衆通信回線網３に接続された、情報提供会社が運用するサーバで、通常ユーザは公衆通信回線網３に接続された端末装置（図示せず）からアクセスを行う。サーバ９はマルチメディア情報を蓄積するためのデータベース９ＤＢを備えている。
サーバ１０は外部情報通信綱であるインターネット４に接続された、ＨＴＴＰ（Hypertext Transfer Protocol）を用いて公衆通信回線網３若しくはインターネット４に接続された端末装置と通信を行う複数のサーバの内の１つのサーバで、マルチメディア情報を蓄積しているデータベース１０ＤＢを備えている。又、個人用データベース８は公衆通信回線網３に接続された、通信端末１の所有するユーザの個人的な情報が蓄積されているデータベースである。
尚、ここでのマルチメディア情報とは、例えばテキスト（文字）情報の他に動画、静止画等の画像情報を含むようなコンピュータで処理可能な情報であり、画像、音、文字等のデータが任意に組み合わされた情報を表す。
又、ＨＴＴＰは、インターネットに接続された複数のサーバ上の情報をハイパーテキスト形式で閲覧できるようにするＷＷＷ（World-Wide Web）と呼ばれるシステムにおいて、情報を提供するサーバと情報を要求するクライアント端末との間で用いられるプロトコルである。クライアント端末はサーバと通信接続を確立してから、サーバに情報要求命令を送り、サーバは、この情報要求命令に応じたデータをクライアントに送った後に、クライアントとの通信接続を切断する処理を行う。
放送局１１は、例えばＦＭラジオ放送局で、音声信号に文字データ情報を多重化して送信アンテナ１１Ａを介して放送する。この放送局１１からの放送は、通信端末１及び放送受信装置（例えばラジオ受信機）によって受信される。本実施例においては、放送局１１の一例として、特定の限られた地域に地域情報を放送することを目的とした比較的弱い電力の電波で放送を行ういわゆるミニＦＭラジオ放送局を用いて説明を行う。
尚、放送局１１は、ミニＦＭラジオ放送局に限られるものではなく、音声若しくは映像信号に文字や画像等のデータ信号を多重化して放送を行うものであればよい。例えば、音声信号に文字情報を多重化して放送を行うＦＭラジオ放送、映像信号に文字・画像情報を多重化して放送を行う文字放送、又は映像信号にコンピュータネットワークのアドレス情報（例えば上述のＷＷＷで用いられるＵＲＬ（Uniform Resource Locator）情報等）が多重化された放送等である。
次に、図２を参照して、通信端末１の構成例について説明する。ＣＰＵ(Central Processing Unit)２０は電話をかけたり受けたりする電話機能処理及びマルチメディア情報の送受信の処理を行う。ＣＰＵ２０には、バス２８（データバス、コントロールバス、アドレスバス等を含む）を介して、処理データを一時的に記憶するＲＡＭ(Random Access Memory)、動作プログラム及びデータが記憶されたＲＯＭ(Read only Memory)からなるメモリ２１、ユーザとのインターフェースを行う人間−機械インターフェース手段２２、ＰＨＳ網２と通信を行うために高周波回路、変復調回路及びＴＤＭＡ／ＴＤＤ処理回路を有する電話通信手段２６、放送局１１からの放送を受信する処理を行う放送受信手段２７、放送指示信号又は放送中信号を検出する検出手段２８が接続されている。人間−機械インターフェース手段２２は、液晶表示器及び表示回路からなる表示手段２３、マイク、スピーカ及び音声コーデックを含む音声処理部を有する音声入出力インターフェース２４、タッチセンサ及び入力回路からなる液晶表示装置の液晶表示器上に設けた入力部２５を備えている。電話通信手段２６には上述の電話用送受信アンテナ１Ａが接続され、放送受信手段２７には、放送局１１からの放送を受信する受信アンテナ１Ｂが接続されている。
尚、本実施例では入力部２５として表示手段２３上に設けたタッチパネルを用いているが、表示手段２３とは別にキーパッド等を用いて構成することも可能である。
次に、図３を参照して、ＰＨＳ網２の基地局５に接続されているＰＨＳサーバ７の構成例を説明する。ＣＰＵ３０は、バス３６（データバス、コントロールバス、アドレスバス等を含む）を介して、処理データを一時的に記憶するＲＡＭ（Random Access Memory）、動作プログラム及びデータが記憶されたＲＯＭ(Read Only Memory)からなるメモリ３１、外部記憶装置によって構成されるデータベース３５（図１における７ＤＢ）に蓄積されている特定地域のマルチメディア情報を通信端末１へ転送する転送手段３２、外部情報通信網（公衆通信回線網３又はインターネット４）に接続されたサーバ９又は１０から送られてきた文字、画像、音声情報等を有する様々な形式のマルチメディア情報のデータ処理を行うデータ処理手段３３、サーバ９又は１０との間で通信処理を行う外部通信処理手段３４等が接続されている。
次に、このＰＨＳサーバ７のデータベース３５（７ＤＢ）に蓄積されるマルチメディア情報について説明する。通信端末１からサーバ７へのアクセスがあったときにデータベース７ＤＢから通信端末１に転送するマルチメディア情報としては、図２の通信端末１の人間−機械インターフェース手段２２の出力能力の小規模性を考慮して、見出し集、絵を含まないテキスト、音声、静止画、駒落画等のマルチメディア情報である。又、外部情報通信網２、３等に接続された通信端末１からサーバ７へのアクセスがあったときに、データベース７ＤＢからその通信端末１に転送するマルチメディア情報としては、その通信端末１の人間−機械インターフェース手段２２の出力能力の規模が小さいものであるときは、上述の通信端末１へ転送するマルチメディア情報と同様のものとなるが、その通信端末の人間−機械インターフェース手段２２の出力能力の規模が大きいものであるときは、見出し、絵を含まないテキスト、絵を含むテキスト、音声、静止画、駒落画、動画等のマルチメディア情報である。
データベース３５（７ＤＢ）に蓄積されるマルチメディア情報の具体例としては、基地局５（又は交換機６）の所在する地域に関連した、映画情報、レストラン情報、飲み屋情報、駐車場情報、イベント情報が文字による説明文及び画像による地図データとして蓄積されている。
次に、図４乃至図６を参照して、通信端末１の表示手段２３における表示状態及び入力部２５による入力動作を説明する。尚、図４乃至図６においては、通信端末１の電源スイッチ（図示せず）が既にオンになっているものとする。
先ず、図４に示す初期の表示画面及び操作部を説明する。情報表示部４０は文章、画像画像の表示される表示部で、図５及び図６においても変化しない。電話帳ボタン４１は、れを押すと既に登録されている人名、会社名等の電話番号が情報表示部４０に表示される。このとき新たな人名又は会社名と電話番号の入力も行える。日本語／英語切替ボタン４２は、電話帳作成等の文字入力時において入力される文字の種類を切り替えるための操作部であり、本実施例においては日本語及び英語の文字を切り替え可能なように構成している。変換ボタン４３は、日本語／英語切替ボタン４２によって日本語入力モードが選択されているときに、情報表示部４０に表示された仮名文字を漢字文字に変換するための操作部である。数値／文字入力ボタン４４は、電話をかける際に電話番号を入力するためのテンキー及びファンクションキー（アスタリスク及びシャープキー）操作部であり、入力された電話番号は情報表示部４０に表示される。この数値／文字入力ボタン４４は、電話帳を編集する時など、文字入力が必要とされるときに文字を入力するための操作部も兼ねている。付加サービスボタン４５は、ＰＨＳ網２に接続してＰＨＳサーバ７若しくはサーバ９、１０からマルチメディア情報を取得するための操作部である。登録ボタン４６は、入力された数値／文字を確定するための操作部であり、電話をかける際には、数値／文字入力ボタン４４によって入力された電話番号が情報表示部４０に表示され、ユーザが確認した後に、この登録ボタン４６を操作することにより、ＣＰＵ２０によりＰＨＳ網２との接続処理及び指定された電話番号に電話をかける処理を行う。又、電話帳ボタン４１が操作されて電話帳モードが選択されている場合には、登録ボタン４６を操作することによりユーザによって入力された人名、会社名及び電話番号等が確定されてＣＰＵ２０によって登録処理若しくは情報表示部４０への電話番号表示処理が行われる。キャンセルボタン４７は、操作ボタンの入力を取消して情報表示部４０を初期表示状態に戻すための操作部である。
文字入力を必要とする状態においては、数値／文字入力ボタン４４を操作することによって、日本語／英語切替ボタン４２によって選択されているモードの文字を入力することが可能である。図４に示したように、数値／文字入力ボタン４４のそれぞれにはアルファベット“Ａ”から“Ｚ”及び記号が割り当てられている。例えば、数値／文字入力ボタン４４の“１”のボタンにはアルファベットＡ、Ｂ、Ｃが割り当てられており、文字入力状態で“１”のボタンを操作することにより文字“Ａ”を情報表示部４０に表示することが可能であり、その後、更に、連続的に“１”のボタンを操作することにより文字“Ａ”に置き換わって、順次“Ｂ”、“Ｃ”が表示される。文字“Ｃ”が表示されているときに、更に、ボタン“１”を操作されると再び文字“Ａ”が表示される。そして、文字“Ａ”“Ｂ”若しくは“Ｃ”が表示されている状態で登録ボタン４６を操作することによって、入力文字が確定される。その他の数値／文字入力ボタン４４に関しても同様の操作を行って、それぞれに割り当てられた文字を入力することが可能である。
図４の付加サービスボタン４５が操作されると、後述する通信端末１とＰＨＳサーバ７との間の通信処理に基づいて、表示手段２３の表示画面は図５に示す次の表示画面に移行する。図５の表示画面及び操作部を説明する。
情報表示部４０には、例えば、「情報を選択して下さい−渋谷−」とユーザに所望の情報を選択することを促す表示が行われる。情報選択部５０には、例えば、インターネット４に接続されたサーバ１０のデータベース１０ＤＢからマルチメディア情報を取得するためのインターネット選択ボタン５６、基地局５（若しくは交換機６）に接続されたサーバ７のデータベース７ＤＢから特定地域のマルチメディア情報を取得するためのタウン情報選択ボタン５７、通信端末１の音声入出力インターフェース２４から入力された音声信号をディジタル信号に変換して他の通信端末若しくは外部情報通信網に接続された端末装置に電子メールとして配信するためのボイスメール選択ボタン５８、公衆回線網８に接続された個人用データベースから個人情報（例えばスケジュール）を取得するための個人用データベース選択ボタン５９、放送局１１から放送されているＦＭ放送を受信するＦＭ放送受信選択ボタン６０が表示される。アップボタン５２及びダウンボタン５３は、情報選択部５０に表示される選択ボタンの表示を切り替えるために機能が割り当てられており、その他の選択ボタン（例えば公衆通信回線網３に接続されたサーバ９のデーターベース９ＤＢにアクセスするための選択ボタン）を選択する場合に操作される。前画面選択ボタン５４及び次画面選択ボタン５５は、通信端末１のメモリ２１に記憶されているユーザの操作ボタンの選択履歴に基づいて情報選択部５０の表示を履歴の前後方向に切り替える操作を行う。電話ボタン６１は、図４に示した初期の表示画面である電話機能表示に戻るための操作部である。実行ボタン６２は、操作ボタン５６乃至６０のいずれかが選択された後、実行ボタン６２を押されると、操作ボタン５６乃至６０のうちの選択されたモードを確定する処理を行う。キャンセルボタン６３は、操作ボタン５６乃至６０のいずれかが選択された後に、キャンセルボタン６３が押されると、その選択された操作を取り消す処理を行う。
タウン情報操作ボタン５７が操作されると、表示手段２３の表示画面は図６の表示画面に移行する。図６の表示画面及び操作部を説明する。
情報表示部４０には、例えば、「付加サービス項目を選択して下さい」と表示される。情報選択部５０には、映画情報選択ボタン７１、レストラン情報選択ボタン７２、飲み屋情報選択ボタン７３、駐車場情報選択ボタン７４、イベント情報選択ボタン７５が表示される。他地区選択ボタン７０は、ユーザが現在位置している地区以外の地区情報（例えば、渋谷以外の他の地区情報）を選択するための操作部であり、他地区のＰＨＳサーバにアクセスして、他地区に関するマルチメディア情報を取得することが可能となる。アップボタン５２及びダウンボタン５３は、情報選択部５０に表示される選択ボタンの表示を切り替えるために機能が割り当てられており、その他の選択ボタン（演劇情報やライブハウス情報等の選択ボタン）を選択する場合に操作される。前画面選択ボタン５４及び次画面選択ボタン５５は、通信端末１のメモリ２１に記憶されているユーザの操作ボタンの選択履歴に基づいて情報選択部５０の表示を履歴の前後方向に切り替える操作を行う。電話ボタン６１は、図４に示した初期の表示画面である電話機能表示に戻るための操作部である。実行ボタン６２は、操作ボタン７１乃至７５のいずれかが選択された後、実行ボタン６２を押されると、操作ボタン７１乃至マ５のうちの選択されたモードを確定する処理を行う。キャンセルボタン６３は、操作ボタン７１乃至７５のいずれかが選択された後に、キャンセルボタン６３が押されると、その選択された操作を取り消す処理を行う。
尚、情報選択部５０に表示される選択ボタンは、ＰＨＳサーバ７から受信するか、若しくは通信端末１のメモリ２１から読み出されて表示される。
次に、ＰＨＳサーバ７のデータ処理手段３３によるデータ処理方法について説明する。サーバ９のデータベース９ＤＢ及びサーバ１０のデータベース１０ＤＢに格納されているマルチメディア情報は、基本的に公衆通信回線網３及びインターネット４に接続された高解像度の表示装置を有する端末装置からアクセスされることを前提として作成されている。このような、マルチメディア情報を無線通信回線を介して携帯型の通信端末で表示可能にするためには、かなり大容量のメモリ及び高解像度の表示装置が必要とされる。このため携帯型通信端末の小型化が難しくなってしまう。そこで、少容量のメモリ及び低解像度の表示装置を有する携帯通信端末装置でも、これらのマルチメディア情報を表示可能とするために、通信端末１の表示能力に適した情報にマルチメディア情報を加工若しくは変換する処理をＰＨＳサーバ７のデータ処理手段３３によって行う。
ＰＨＳサーバ７が通信端末１の表示能力を特定するための方法としては、例えば、端末種類毎に、機種ＩＤをメモリ２１に予め格納しておき、通信端末１及びＰＨＳサーバ７との間で通信接続を確立する際に通信端末１からＰＨＳサーバ７に対してこの機種ＩＤを送信して、ＰＨＳサーバ７に通信端末１の表示能力を認識させる。
又、ＰＨＳ網２全体を管理しているサーバ（図示せず）に予め、各通信端末毎に割り当てられた個別ＩＤ及び機種ＩＤを登録しておき、通信接続時に個別ＩＤをこの管理サーバに送信し、管理サーバが受信した個別ＩＤに対応する機種ＩＤを検索して、通信端末１が接続されているＰＨＳサーバ７に送信するようにしてもよい。
以下に、データ加工及び変換処理に関して図７乃至図１１を参照して説明する。
先ず、図７のデータ処理方法は、見出し抽出手段ＴＸ−ＨＬによって、外部情報通信網上のサーバ９又は１０からの、１つ又は複数の見出し及びその各見出しに対応する本文からなるテキストＴＸから、複数の見出しＨＬのみを抽出する処理を行う。
図８のデータ処理方法は、テキスト抽出手段ＴＸ／Ｐ−ＴＸによって、外部情報通信網上のサーバ９又は１０からの、絵を含むテキスト（それぞれ見出し及び各見出しに対応する本文及びその一部又は全部の本文に含まれる絵からなる）ＴＸ／Ｐから、絵を含まないテキスト（それぞれ見出し及び各見出しに対応する本文からなる）ＴＸを抽出する処理を行う。
図９のデータ処理方法は、外部情報通信網上のサーバ９又は１０からの、１つ又は複数の見出し及びその各見出しに対応する本文からなるテキストＴＸをメモリＭａに一旦記憶し、テキストＴＸを文章構造解析手段ＡＮによって文章構造を解析し、音声合成手段ＳＳを用いて文章−音声変換手段Ｓ−Ｖによって、音声信号に変換して出力端子ｔに出力する処理を行う。出力端子ｔには、増幅器が接続されており、音声入出力インターフェース２４のスピーカに出力される。
図１０のデータ処理方法は、外部情報通信網上のサーバ９又は１０からの静止画ＳＰの画像信号を入力端子Ｔ1からメモリＭ1に書込み、そのメモリＭ1に記憶されている静止画ＳＰの映像信号を、間引き処理手段Ｋによって、水平及び垂直方向に間引いた後、メモリＭ2に書込み、それを読み出して出力端子Ｔ2から間引かれた静止画ＳＰ′の映像信号を出力する処理を行う。
図１１のデータ処理方法は、動画の映像信号を入力端子Ｔ1からサンプリング手段ＳＰに供給して、サンプリング制御手段ＳＰＣによって、所定時間毎に所定枚数のフレーム画像をサンプリングして、メモリＭVに供給して記憶させ、それを読み出して出力端子Ｔ2から映像信号を出力する処理を行う。
更に、ＰＨＳサーバ７のデータ処理手段３３は、通信端末１からのある情報を所定のマルチメディア情報に変換する変換手段を備えている。即ち、外部情報通信網３又は４に接続された外部端末装置（サーバ又は小規模な通信端末）に対して、通信端末１から情報を転送するときは、通信端末１からの情報（例えば、音声）を、ＰＨＳサーバ７に転送して、そのデータ処理手段３３で、その情報を所定のマルチメディア情報（例えば、文字情報からなるテキストデータ）に変換して、ＰＨＳサーバ７から、その外部情報通信網３又は４に接続された上述の外部端末装置に転送できるようになされている。
次に、図１２のシーケンス図を参照して、通信端末１がＰＨＳ網２の基地局５に接続されているＰＨＳサーバ７にアクセスする動作を説明する。ユーザが、付加サービスボタン４５（図４）を押圧又は音声入出力インターフェース２４（図２）のマイクに対するよる音声入力を行うことにより、ＰＨＳサーバ７に対してサービス要求を行う（８１）と、通信端末１及びサーバ７との間に通信リンク（無線通信リンク）が確立する（８２）。ＰＨＳサーバ７は、データベース７ＤＢに蓄積されている、ユーザが所在する地域のホームページのマルチメディア情報の目次情報データを、通信端末１に送信する（８３）。送信された目次情報データは、通信端末１のインターフェース手段２２の表示手段２３に表示される。ユーザの操作ボタン５６乃至６０、７１乃至７５を操作に応じてＣＰＵ２０は、ＰＨＳサーバ７に情報獲得要求を送信する（８４）。かくすると、ＰＨＳサーバ７は、要求情報内容を判別し（８５）、通信端末１からの要求情報を通信端末１に送信する（８６）。通信端末１では、ＰＨＳサーバ７からの情報を、インターフェース手段２２の表示手段２３の情報表示部４０に表示する。データベース７ＤＢに蓄積されている他のマルチメディア情報へのアクセスは、ＰＨＳサーバ７からのメニューをユーザが選択することによって可能となる。その後、８４乃至８６の処理動作を繰り返すことによって、ユーザは所望のマルチメディア情報を得ることができる。その後、キャンセルボタン６３を押すことによる通信端末１からＰＨＳサーバ７に通信リンク切断要求があると、通信端末１及びＰＨＳサーバ７間の通信リンクは切断される。
次に、ＰＨＳサーバ７の接続ポイントについて説明する。ＰＨＳサーバ７が基地局５又は交換機６に接続されているときは、ＰＨＳサーバ７が基地局５、又は交換機６の近傍に所在することが明白であるので、ＰＨＳサーバ７からユーザが所在する地域のマルチメディア情報の目次を、通信端末１にダウンロードするのは容易である。しかし、通信端末１が別のネットワーク、例えば、公衆通信回線網３のサーバ９にアクセスするときに、サーバ９がユーザが所在する地域のホームページのマルチメディア情報の目次を通信端末１にダウンロードしょうとしても、ユーザの所在する地域、即ち、通信端末１の所在する地域が不明であるので不可能である。
そこで、通信端末１とサーバ９、１０との間で通信リンクが確立するときに、通信端末１は、通信端末１を利用するユーザの所在する場所の識別番号（例えば住所、経度及び緯度等）又は、基地局５又は交換機６の識別番号等を、サーバ９、１０に供給することによって、サーバ９、１０はユーザの通信端末１が接続されている基地局５又は交換機６の近傍の地域のホームページのマルチメディア情報の目次情報を通信端末１に対して送信することができる。
次に、図１３のシーケンス図を参照して、通信端末１が外部情報通信網であるインターネット４上に接続されたサーバ（以下、インターネットサーバと称する）１０にアクセスする動作を説明する。ユーザが付加サービスボタン４５（図４）を押すか又は音声入出力インターフェース２４のマイク（図２）に対する音声入力を行うことにより通信端末１はＰＨＳサーバ７に対してサービス要求を行い（９１）、通信端末１及びＰＨＳサーバ７との間に通信リンク（無線通信リンク）が確立する（９２）。ＰＨＳサーバ７は、データベース７ＤＢに蓄積されている、ユーザが所在する地域のホームページのマルチメディア情報の目次情報を、通信端末１に送信する（９３）。送信された目次情報は、通信端末１のインターフェース手段２２の表示手段２３に表示される。
ユーザが表示手段２３のインターネット選択ボタン５６（図５）を押して、インターネットサーバ１０へのアクセスを要求すると、通信端末１はインターネットサーバ１０のアドレス情報（例えば、ＵＲＬ）（９４）をＰＨＳサーバ７へ送信する。かくすると、ＰＨＳサーバ７は、ユーザが要求するインターネットサーバ１０とＴＣＰ／ＩＰ（Transmission Control Protocol / Internet Protocol）によって接続処理を行うことにより、ＰＨＳサーバ７とインターネットサーバ１０との間に、通信パスが確立する（９５）。インターネットサーバ１０は、インターネットアプリケーションプロトコルであるＨＴＴＰにより、マルチメディア情報をＰＨＳサーバ７に送信する（９６）。
ＰＨＳサーバ７は、インターネットのサーバ１０よりのマルチメディア情報をフィルタリング、即ち、例えば、図７〜図１１で説明したようにデータ処理（データ加工又は変換）してから、通信端末１に送信する（９７）。通信端末１からＰＨＳサーバ７に対し、インターネットサーバ１０の情報獲得要求を送信する（９８）。通信端末１及びＰＨＳサーバ７間並びにＰＨＳサーバ７及びインターネットサーバ１０間のプロトコルが異なるなめに、情報獲得要求をデータ変換して（９９）インターネットサーバ１０に送信する。通信端末１及びＰＨＳサーバ７間並びにＰＨＳサーバ７及びインターネットサーバ１０間のプロトコルが同じであれば、かかるデータ変換は不要となる。
そして、インターネットサーバ１０からＰＨＳサーバ７へ、要求されたマルチメディア情報が送信される（１００）。ＰＨＳサーバ７は、そのマルチメディア情報が、上述の処理（９７）と同様にフィルタリング（データ処理）された後、通信端末１に送信される（１０１）。その後、９８〜１０１の動作を繰り返すことによって、ユーザは所望のマルチメディア情報を得ることができる。その後、キャンセルボタン６３を押すことによる通信端末１からＰＨＳサーバ７に通信リンク切断要求があると、通信端末１及びＰＨＳサーバ７間及びＰＨＳサーバ７及びインターネットサーバ１０間の通信リンクは切断される（１０３、１０４）。
次に、通信端末１とサーバ７との間のプロトコルについて説明する。上述したように、通信端末１は、ＰＨＳサーバ７を介してインターネットサーバ１０にもアクセス可能である。この場合、ＰＨＳサーバ７とインターネットサーバ１０との間のプロトコルは、上述したしように、ＴＣＰ／ＩＰを用いるのが一般的である。そこで、通信端末１とＰＨＳサーバ７との間のプロトコルを、ＴＣＰ／ＩＰと親和性の高いプロトコルを用いるのが望ましい。ＴＣＰ／ＩＰそのものを、通信端末１とＰＨＳサーバ７との間のプロトコルとして採用するのも１つの方法であるが、ここでは、通信端末１とＰＨＳサーバ７との間のプロトコルとして、ＴＣＰ／ＩＰと親和性の高い独自のプロトコルを考える。
ＰＨＳ網２におけるデータ伝送容量は、３２kbits/sec〜１２８kbits/secと、他の無線通信方式と比べて、格段にデータ伝送容量が大きいが、フェージング対策が十分でないために、バースト誤りが発生し易く、データの伝送品質が低い。このため、ＰＨＳで良好なデータ転送を実現するためには、バースト誤りに対する対策が必要不可欠である。ところで、ＴＣＰ／ＩＰは高伝送品質を前提としたプロトコルであるので、これを通信端末１及びＰＨＳサーバ７間のプロトコルとして採用すると、上述の理由で、データ転送の実行レートが低下してしまう。ＩＰ（Internet Protocol）は通信網を介して、端末装置若しくはサーバ間でデータ転送を行うために、複数のノード（サーバ）を経由する経路情報を取り扱うプロトコルであるが、通信端末１及びＰＨＳサーバ７間の接続は１対１の接続と見做せるので、ＩＰを採用する必要はない。
そこで、通信端末１及びＰＨＳサーバ７間の回線接続用のプロトコルとしては、通常ＰＨＳで用いられる標準的なプロトコルを使用する。通信端末１及びＰＨＳサーバ７間で、回線接続が行われた後は、データの取扱として、イタンーリーブ、ブロック符号化、畳込み符号化を行うことによって、ビットエラーレートを低下させると共に、フレーム又はブロック毎に再送制御を行う。そして、これらの処理の行われたデータを、トランスポートレイヤプロトコルであるＴＣＰを用いて、ＰＨＳサーバ７からインターネットサーバ１０にデータを転送することにより、通信端末１及びＰＨＳサーバ７間の如き低品質回線において、ＴＣＰ／ＩＰと等価なデータ転送が可能となる。
又、ＰＨＳサーバ７及びインターネットサーバ１０間のＴＣＰについても、若干の変更が必要である。即ち、図１４は、その変更されたＴＣＰのヘッダ情報を示す。この変更されたＴＣＰヘッダはＩＰアドレス及びポート番号を使用しないため、バーチャル回線を認識する手段として、ＩＤ（識別子）を用意する。又、ＰＨＳサーバ７が公衆通信回線網３に接続されたサーバ９のような接続形態の場合、ユーザの位置情報が識別できないので、ＰＳ−ＩＤ（個別識別子）（例えば、基地局やユーザの識別子又は電話番号、住所、経度及び緯度、個別識別子等）を用意する。更に、ＴＣＰを用いて、ＰＨＳサーバ７からインターネットのサーバ１０に渡されるデータ自体が、上述したデータ符号化等により通信端末１及びＰＨＳサーバ７間の転送で、論理的に情報のエラーが生じないものと見做されるので、送信用シーケンス番号と及び応答確認番号は不必要になる可能性がある。尚、このヘッダには、ヘッダ長、コードビット、チェックサム、ウインドウ、オプション等のデータが含まれている。
次に、図１５を参照して、通信端末１及び放送局１１間のリンクについて説明する。ＦＭラジオ放送局が、音声情報と共に、各種情報（例えばイベント情報）を文字情報の形で放送する（１１１）。その各種情報が、特定地域内に放送すべき情報（イベント情報、ニュース速報等）がある場合、ＰＨＳの基地局５から制御チャンネルを用いてラジオ受信指示信号（又は放送局１１が放送中であることを示す放送中信号）が、通信端末１に送信される（１１２）。この制御チャンネルは、ＰＨＳ無線受信に必要な制御情報を送信している制御チャンネルでも良いし、オプション情報を送信する制御チャンネルであっても良い。尚、ラジオ受信指示信号（又は放送局１１が放送中であることを示す放送中信号）は、ＰＨＳサーバ７から基地局５を介して、通信端末１に送信しても良い。
通信端末１がそのラジオ受信指示信号（又は放送局１１が放送中であることを示す放送中信号）を電話通信手段２６よって受信し、検出手段２８によって検出すると、インターフェース手段２２の表示手段２３にラジオ受信指示があったこと（又は放送局１１が放送中であること）を、インターフェース手段２２の、例えば、表示手段２３上でＦＭ放送受信操作ボタン６０が点滅表示させて又はインターフェース手段２２に設けた警報音発生手段（図示せず）か警報音を発生させてユーザに知らせる（１１３）。ユーザがその放送局１１からの放送を受信しようとするときは、ユーザがＦＭ放送受信操作ボタン６０（図５）押して、放送受信手段２７に放送局１１からのＦＭ放送を受信させて、情報表示部４０にイベント情報等の目次を表示させる（１１４）。ある目次に対応する詳細な情報を知りたいときは、通信端末１はＰＨＳサーバ７にアクセスして、そのデータベース７ＤＳに蓄積されている詳細な情報を通信端末１にダウンロードする。かくして、通信端末１がポーリングすることなく、ユーザに有用な受信ができるので、効率の高い情報適用が可能となる。
尚、放送局１１か放送中を示す放送中信号を放送し、その放送中信号を通信端末１の放送受信手段２７が受信し、検出手段２８によって検出するようにしても良い。その場合は、インターフェース手段２２の表示手段２３にラジオ放送中であることを、インターフェース手段２２の、例えば、表示手段２３に表示させて又はインターフェース手段２２に設けた警報音発生手段（図示せず）が警報音を発生させて、ユーザに知らせる（１１３）。
又、通信端末１の検出手段２８によって、受信指示信号又は送信中信号を検出したとき、放送受信手段２７を自動的に受信状態にしても良い。
次に、通信端末１及び個人用データベース８間のリンクについて説明する。個人用データベース８には、例えば、スケジュール管理や、電話番号や、住所録等の個人情報が蓄積されている。ユーザが通信端末１の付加サービス操作ボタン４５（図４）を押し、次に、個人用データベース操作ボタン５９（図５）を押すと、通信端末１から個人用データベースを指示するコマンドが発生し、そのコマンドが個人用データベース８に転送され、これによって、通信端末１及び個人用データベース８間に通信リンクが確立する。ユーザによる、かな、数字、アルファベット等の文字の操作ボタン４４の押圧によって、通信端末１からのコマンドを個人用データベース８に転送することにより、個人用データベースに蓄積されている所望の個人情報を通信端末１にダウンロードさせることができる。
次に、外部情報通信網上の端末装置、例えば、インターネット４のサーバ１０からＰＨＳサーバ７へのアクセスについて説明する。サーバ７は外部通信処理手段３４を有しているので、サーバ１０はＴＣＰ／ＩＰを利用してＰＨＳサーバ７にアクセスし、ＰＨＳサーバ７のデータベース７ＤＢに蓄積されているマルチメディア情報を閲覧することができる。
上述の実施の形態では、図３に示す如く、データ処理手段３３はＰＨＳサーバ７側に設けられていたが、図１６に示す如く、通信端末１側に設けても良い。その場合のＰＨＳサーバの構成は、図１７に示す如く、データ処理手段３３が省略されている。
上述の実施の形態では、図３に示す如く、データ処理手段３３及び外部通信処理手段３４が、ＰＨＳサーバ７側に設けられていたが、図１８に示す如く、通信端末１側に設けても良い。この場合のＰＨＳサーバ７の構成は、図１９に示す如く、データ処理手段３３及び外部通信処理手段３４は省略されている。
本発明によれば、携帯電話システム網に接続されるサーバ又はデータベースにアクセスして、そのサーバ又はデータベースからのマルチメディア情報を受信する電話通信手段及びその電話通信手段からのマルチメディア情報が供給される人間−機械インターフェース手段を備える携帯型通信端末と、マルチメディア情報の蓄積されたデータベース、外部情報通信網に接続されるサーバにアクセスして、そのサーバからのマルチメディア情報を受信する外部通信処理手段、その外部通信処理手段からのマルチメディア情報を加工又は変換するデータ処理手段及び外部通信処理手段又はデータ処理手段からのマルチメディア情報を携帯電話システム網を介して携帯型通信端末に転送する転送手段を備える携帯型通信端末用サーバとを有するので、携帯型通信端末が小型で可搬性に優れ、操作性が良好となり、携帯型通信端末によって、無線電話通信網又は外部情報通信網に接続されたサーバからのマルチメディア情報の取得及びその取得されたマルチメディア情報の人間−機械インターフェース手段への出力が可能となる。
更に、携帯型通信端末にわざわざターミナルソフト、ビューワ等をインストールしなくても、携帯型通信端末が、外部情報通信網に接続された通信端末にアクセスして、その通信端末からのマルチメディア情報を取得することができると共に、その取得されたマルチメディア情報を、人間−機械インターフェース手段の出力能力に応じて加工又は変換した後、人間−機械インターフェース手段に出力させることのできる情報提供装置及び携帯型通信端末を得ることができる。
又、外部通信処理手段には、インターネットのプロトコルであるトランスファコントロールプロトコルが実装されてなるので、外部情報通信網であるインターネットのサーバにアクセスすることができる。
又、外部通信処理手段には、インターネットのアプリケーションプロトコルであるハイパーテキストトランスファプロトコルが実装されてなるので、外部情報通信網であるインターネットのサーバにアクセスすることができる。
又、携帯型通信端末及び携帯型通信端末用サーバ間のプロトコルとして、誤り訂正符号を付加し、再送制御を行う伝送プロトコル並びに送信用シーケンス番号及び応答確認番号を用いるトランスポートプロトコルが使用されるので、低品質回線におけるトランスファコントロールプロトコルと等価なデータ転送が可能となる。
又、所定地域内の共通情報を放送する放送手段を設けると共に、携帯型通信端末に、放送手段よりの放送を受信する放送受信手段を設けたので、携帯型通信端夫は放送手段からの情報をも取得することができる。
又、携帯型通信端末に、それぞれ外部からの放送手段によって放送が行われていることを示す放送中信号又はその放送の受信指示信号を検出する検出手段を設けたので、放送手段からの放送を常時受信する必要がないので、それだけ電力消費が低減され、携帯型通信端末が電池駆動の場合は、電池の寿命が長くなる。
又、携帯型通信端末用サーバに、外部通信処理手段によって、外部情報通信網に接続されているサーバにアクセスして、そのサーバからのマルチメディア情報を受信するときに、携帯型通信端末を使用するユーザの所在する場所を表す識別子を外部情報通信網に接続されるサーバに転送する識別子転送手段を設けたので、外部情報通信網に接続されるサーバから、携帯型通信端末はその所在する地域に関連するマルチメディア情報を取得することができる。
又、データ処理手段は、文字情報を音声情報に変換する変換手段であるので、携帯型通信端末によって、外部情報通信網に接続されるサーバからのマルチメディア情報を音声情報として取得することができ、携帯通信端末の表示画面を有効に使用することが可能となる。
【図１】
0003885236.tif 000002
【図２】
0003885236.tif 000003
【図３】
0003885236.tif 000004
【図４】
0003885236.tif 000005
【図５】
0003885236.tif 000006
【図６】
0003885236.tif 000007
【図７】
0003885236.tif 000008
【図８】
0003885236.tif 000009
【図９】
0003885236.tif 000010
【図１０】
0003885236.tif 000011
【図１１】
0003885236.tif 000012
【図１２】
0003885236.tif 000013
【図１３】
0003885236.tif 000014
【図１４】
0003885236.tif 000015
【図１５】
0003885236.tif 000016
【図１６】
0003885236.tif 000017
【図１７】
0003885236.tif 000018
【図１８】
0003885236.tif 000019
【図１９】
0003885236.tif 000020
【図２０】
0003885236.tif 000021
0003885236.tif 000022
0003885236.tif 000023